(57)【要約】【課題】ＬＥＤ発光中の色情報の変化を含む精度の高い色情報を得る。【解決手段】ストロボは、被写体を撮影する際に被写体を照明する光を発光するＬＥＤ６を光源として備えており、マイコン１はＬＥＤの素子温度を検出するとともに、電源制御部２によってＬＥＤを発光制御して、素子温度に応じて露光開始から露光終了までのＬＥＤの発光色を示す色情報を最終色情報として求める。【選択図】図１
2015203764.tif 000002
【特許請求の範囲】
【請求項１】
被写体を撮影する際に前記被写体を照明する光を発光するＬＥＤを光源として備える発光装置であって、
前記ＬＥＤの素子温度を検出する素子温度検出手段と、
前記ＬＥＤを発光制御して、前記素子温度に応じて露光開始から露光終了までの前記ＬＥＤの発光色を示す色情報を最終色情報として求める制御手段と、
を有することを特徴とする発光装置。
【請求項２】
前記素子温度検出手段は、
前記ＬＥＤに流れる順方向電圧を検出する電圧検出手段と、
前記順方向電圧に基づいて前記素子温度の変化量を求める変化量算出手段とを有し、
前記制御手段は、前記素子温度の変化量と予め定められたＬＥＤの発光色を示す基準色情報とに応じて前記最終色情報を求めることを特徴とする請求項１に記載の発光装置。
【請求項３】
前記制御手段は、前記素子温度の変化量と前記基準色情報とに応じて得られた色情報を前記ＬＥＤの発光効率に応じて補正して前記最終色情報を得ることを特徴とする請求項２に記載の発光装置。
【請求項４】
前記素子温度検出手段は、前記露光開始から前記露光終了まで所定の周期で前記素子温度の変化量を求めており、
前記制御手段は、前記素子温度検出手段で得られた複数の素子温度の変化量と前記基準色情報とに応じてそれぞれ複数の色情報を得て、当該複数の色情報を積分して前記最終色情報を得ることを特徴とする請求項２に記載の発光装置。
【請求項５】
前記素子温度検出手段は、前記ＬＥＤに流す駆動電流および前記ＬＥＤの発光時間に応じて前記素子温度の変化量を求めており、
前記制御手段は、前記駆動電流および発光時間によって定まる前記ＬＥＤの温度上昇の規則性と前記素子温度の変化量とに基づいて前記最終色情報を得ることを特徴とする請求項１に記載の発光装置。
【請求項６】
請求項１〜５のいずれか１項に記載の発光装置に接続された撮像装置であって、
前記被写体を撮影して画像データを得る撮像手段と、
前記最終色情報に基づいて前記画像データのカラーバランスを補正するカラーバランス処理を行う処理手段と、
を有することを特徴とする撮像装置。
【請求項７】
請求項５に記載の発光装置に接続された撮像装置であって、
前記被写体を撮影して画像データを得る撮像手段と、
前記駆動電流および前記発光時間を前記発光装置に指令する指令手段と、
前記最終色情報に基づいて前記画像データのカラーバランスを補正するカラーバランス処理を行う処理手段と、
を有することを特徴とする撮像装置。
【請求項８】
被写体を撮影する際に前記被写体を照明する光を発光するＬＥＤを光源として備える発光装置の制御方法であって、
前記ＬＥＤの素子温度を検出する素子温度検出ステップと、
前記ＬＥＤを発光制御して、前記素子温度に応じて露光開始から露光終了までの前記ＬＥＤの発光色を示す色情報を最終色情報として求める制御ステップと、
を有することを特徴とする制御方法。
【請求項９】
被写体を撮影する際に前記被写体を照明する光を発光するＬＥＤを光源として備える発光装置で用いられる制御プログラムであって、
前記発光装置が備えるコンピュータに、
前記ＬＥＤの素子温度を検出する素子温度検出ステップと、
前記ＬＥＤを発光制御して、前記素子温度に応じて露光開始から露光終了までの前記ＬＥＤの発光色を示す色情報を最終色情報として求める制御ステップと、
を実行させることを特徴とする制御プログラム。
【発明の詳細な説明】
【技術分野】
【０００１】
本発明は、発光装置、その制御方法、および制御プログラム、並びに撮像装置に関し、特に、発光装置の制御に関する。
【背景技術】
【０００２】
一般に、ストロボ装置（以下単にストロボと呼ぶ）などの発光装置（閃光装置ともいう）を用いて、デジタルカメラなどの撮像装置によって撮影を行うことがある。このような場合には、ストロボ光の発光色を示す発光色情報（以下単に色情報と呼ぶ）を用いて、撮影の結果得られた画像データにおけるカラーバランスの補正を処理行うようにしている（特許文献１参照）。
【先行技術文献】
【特許文献】
【０００３】
【特許文献１】特開２００８−１１５５７号公報
【発明の概要】
【発明が解決しようとする課題】
【０００４】
ところで、従来、ストロボの光源として、一般にＸｅ管が用いられているが、近年、ＬＥＤの進化に伴ってストロボの光源としてＬＥＤが用いられる傾向にある。ところが、Ｘｅ管であれば、発光中に発光色が大きく変化することはないものの、ＬＥＤにおいてはＬＥＤ自体の発光に起因する発熱によって素子温度が上昇して、ストロボ光の発光色を示す色情報が変化してしまう。
【０００５】
図８は、ＬＥＤを用いた従来のストロボにおける色情報の変化を説明するための図である。
【０００６】
図８において、横軸は時間を示し、縦軸はＬＥＤの素子温度を示す。いま、撮影の際に露光開始においてストロボの発光が開始され、露光終了においてストロボの発光が停止したものとする。この際、ＬＥＤの素子温度は露光開始から露光終了まで曲線２０１で示すように変化し、露光終了において素子温度が最も高くなる。そして、図中斜線で示す領域は露光終了時点の素子温度よりも素子温度が低い領域である。
【０００７】
図８に示すように、ＬＥＤの素子温度が変化する際、その素子温度を発光終了後に検出して色情報を求めようとすると、当該色情報には、発光開始から発光中の色情報が含まれず、色情報に誤差が生じてしまうことになる。
【０００８】
そして、発光中の色情報の変化が含まれていない発光終了時点における色情報に応じて、画像データのカラーバランスが補正される結果、画像データのカラーバランスを精度よく補正することができない。
【０００９】
さらに、上述の特許文献１に記載のカメラにおいては、被写体で反射した光をカラーセンサーで取得して、発光部の色情報を得ているので、色情報が被写体の影響を受け易く、同様に精度よく画像データのカラーバランスを補正することが難しい。
【００１０】
そこで、本発明の目的は、発光中の色情報の変化を含む精度の高い色情報を得ることができる発光装置、その制御方法、および制御プログラム、並びに撮像装置を提供することにある。
【課題を解決するための手段】
【００１１】
上記の目的を達成するため、本発明による発光装置は、被写体を撮影する際に前記被写体を照明する光を発光するＬＥＤを光源として備える発光装置であって、前記ＬＥＤの素子温度を検出する素子温度検出手段と、前記ＬＥＤを発光制御して、前記素子温度に応じて露光開始から露光終了までの前記ＬＥＤの発光色を示す色情報を最終色情報として求める制御手段と、を有することを特徴とする。
【００１２】
本発明による撮像装置は、上記の発光装置に接続された撮像装置であって、前記被写体を撮影して画像データを得る撮像手段と、前記最終色情報に基づいて前記画像データのカラーバランスを補正するカラーバランス処理を行う処理手段と、を有することを特徴とする。
【００１３】
本発明による制御方法は、被写体を撮影する際に前記被写体を照明する光を発光するＬＥＤを光源として備える発光装置の制御方法であって、前記ＬＥＤの素子温度を検出する素子温度検出ステップと、前記ＬＥＤを発光制御して、前記素子温度に応じて露光開始から露光終了までの前記ＬＥＤの発光色を示す色情報を最終色情報として求める制御ステップと、を有することを特徴とする。
【００１４】
本発明による制御プログラムは、被写体を撮影する際に前記被写体を照明する光を発光するＬＥＤを光源として備える発光装置で用いられる制御プログラムであって、前記発光装置が備えるコンピュータに、前記ＬＥＤの素子温度を検出する素子温度検出ステップと、前記ＬＥＤを発光制御して、前記素子温度に応じて露光開始から露光終了までの前記ＬＥＤの発光色を示す色情報を最終色情報として求める制御ステップと、を実行させることを特徴とする。
【発明の効果】
【００１５】
本発明によれば、ＬＥＤを発光制御して、素子温度に応じて露光開始から露光終了までのＬＥＤの発光色を示す色情報を最終色情報として求める。これによって、発光中の色情報の変化を含む精度の高い色情報を得ることができ、画像データのカラーバランスを精度よく補正することができる。
【図面の簡単な説明】
【００１６】
【図１】本発明の第１の実施形態による発光装置の一例の構成を撮像装置とともに示すブロック図である。
【図２】図１に示すストロボにおけるＬＥＤの色情報検出処理を説明するためのフローチャートである。
【図３】一般的な白色ＬＥＤの素子温度と色度の変化との関係を示す図である。
【図４】図１に示すストロボで行われる基準順方向電圧および基準色情報の記録処理を説明するためのフローチャートである。
【図５】本発明の第２の実施形態によるストロボで用いられるＬＥＤの駆動電流および発光時間と素子温度との関係を示す図である。
【図６】本発明の第２の実施形態によるストロボにおけるＬＥＤの色情報検出処理を説明するためのフローチャートである。
【図７】本発明の第２の実施形態によるストロボで行われる露光中の色情報の算出を説明するための図である。
【図８】ＬＥＤを用いた従来のストロボにおける色情報の変化を説明するための図である。
【発明を実施するための形態】
【００１７】
以下、本発明の実施の形態による発光装置の一例について図面を参照して説明する。
【００１８】
［第１の実施形態］
図１は、本発明の第１の実施形態による発光装置の一例の構成を撮像装置とともに示すブロック図である。
【００１９】
図示の発光装置（以下ストロボと呼ぶ）は、被写体を撮影する際、光源であるＬＥＤを駆動制御して被写体を照明する。ストロボはマイコン１を備えており、当該マイコン１は、後述するようにして、ＬＥＤ駆動回路である電源制御部２のＯＮおよびＯＦＦ、光源であるＬＥＤの順方向電圧（Ｖｆ）の検出、およびＬＥＤ光の発光色を示す色情報の算出を行う。さらに、マイコン１はＬＥＤ駆動条件などを決定してストロボの発光制御を行う。
【００２０】
マイコン１には、デジタルカメラなどの撮像装置（以下カメラと呼ぶ）２０が接続されており、カメラ２０からマイコン１にストロボ発光命令が送られる。また、ＬＥＤの色情報はマイコン１からカメラ２０に送られて、カメラ２０は色情報に応じて画像データのカーバランスを補正するためのカラーバランス処理を行う。
【００２１】
ストロボは、電池などの電源３を有しており、充電回路５は、マイコン１の制御下で電源３によって充電部（例えば、キャパシタ）４を充電する。ここでは、キャパシタ４として、例えば、電気二重層コンデンサが用いられる。
【００２２】
充電制御部２は、マイコン１の制御下で、キャパシタ４を電源（つまり、入力側）として、出力側に接続されるＬＥＤ（発光部）６を所定の電流で駆動する。電源制御部２は、例えば、降圧型のスイッチングコンバータ回路であって、その入力側はキャパシタ４に接続され、出力側はＬＥＤ６に接続される。
【００２３】
また、ＬＥＤ６には電圧検出用抵抗７が直列に接続されている。ＬＥＤ６に対面して分光計３０が配置されており、分光計３０によって、後述するようにして、予めＬＥＤ６の発光に係る色情報が測定されて、当該色情報がマイコン１に送られる。
【００２４】
図示のように、マイコン１は、演算部１１、記録部１２、電圧検出部１３、および発光電流決定部１４を有している。マイコン１は、周期的にＬＥＤ６の順方向電圧を検知して、発光中に変化するＬＥＤ光の色情報を、ＬＥＤの順方向電圧Ｖｆに応じて求める。そして、マイコン１は、順方向電圧Ｖｆ毎に求めた色情報を積分して発光中に変化する色情報を含めた正確な色情報（以下最終色情報と呼ぶ）を得る。
【００２５】
なお、ここでは、後述するように、ＬＥＤ６の素子温度を順方向電圧Ｖｆに応じて求めるが、ＬＥＤの素子温度の検出手法はこれに限定されるものではない。
【００２６】
図２は、図１に示すストロボにおけるＬＥＤ６の色情報検出処理を説明するためのフローチャートである。なお、図示のフローチャートに係る処理は、マイコン１の制御下で行われる。
【００２７】
ＬＥＤ発光処理を開始すると、演算部１１は充電回路５を制御して電源３からキャパシタ４に充電を開始して、キャパシタ４を所定の電圧まで充電する（ステップＳ１００）。次に、カメラ２０からの発光命令を受けると、発光電流決定部１４は、ＬＥＤ６に流す電流値（発光電流）を決定し、電源制御部２を制御してキャパシタ４の電圧を降圧してＬＥＤ６を発光させる（ステップＳ１０１：ＬＥＤ発光開始）。
【００２８】
ＬＥＤ６が発光すると、カメラ２０は露光を開始する（ステップＳ１０２）。カメラ２０によって露光が開始されると同時に、電圧検出部１３は、電圧検出用抵抗７によってＬＥＤ６の順方向電圧Ｖｆを検出する（ステップＳ１０３）。
【００２９】
ステップＳ１０３に係る処理は所定の時間間隔で発光が終了するまで周期的に行われる。よって、ＬＥＤ６の発光開始から発光終了までに、複数の順方向電圧Ｖｆが検出されることになる。
【００３０】
続いて、演算部１１は、検出された順方向電圧Ｖｆを用いてＬＥＤ６の素子温度の変化量ΔＴを算出する（ステップＳ１０４）。ＬＥＤの順方向電圧Ｖｆは素子による個体ばらつきがあるので、順方向電圧Ｖｆの変化量から素子温度を求めるためには、予め定められた条件における順方向電圧Ｖｆを記憶しておく必要がある。
【００３１】
ここでは、予め定められた条件において記録された順方向電圧を基準順方向電圧Ｖｆｓと呼び、順方向電圧Ｖｆの変化量をＬＥＤ６の素子温度の変化量ΔＴに変換するための変換係数をαとする。変換係数αは白色ＬＥＤの物性で決まるので、個体ばらつきは少なく固定値とする。
【００３２】
例えば、演算部１１は、次の式（１）によって素子温度の変化量ΔＴを算出する。
ＬＥＤ素子温度の変化量ΔＴ＝（Ｖｆｓ−Ｖｆ）×α      （１）
【００３３】
続いて、演算部１１は素子温度変化量ΔＴに応じてＬＥＤ光の色情報Ｋを算出する（ステップＳ１０５）。ＬＥＤ光の色情報は個体によるばらつきが大きいので、予め規定された環境温度、電流値、および発光時間などの条件における基準となる色情報（基準色情報と呼ぶ）を記録しておく必要がある。
【００３４】
ここで、予め記録しておく基準色情報をＫｓとし、素子温度変化量ΔＴを色情報の変化量に変換する変換係数をβとする。
【００３５】
図３は、一般的な白色ＬＥＤの素子温度と色度の変化との関係を示す図である。
【００３６】
図３において、横軸および縦軸の各々は色度を示しており、白色ＬＥＤの一般的な構成である青色ＬＥＤと黄色蛍光体との組み合わせで白色を得る場合、白色ＬＥＤが高温となると発光色は青色方向にシフトする。つまり、白色ＬＥＤにおける色情報の変化は規則性を有しており、当該規則性に応じて変換係数βを得る。
【００３７】
例えば、演算部１１は、次の式（２）によって色情報Ｋを算出する。    
色情報Ｋ＝Ｋｓ＋ΔＴ×β      （２）
【００３８】
ところで、ＬＥＤは物性的な特徴から素子温度が高温になるとその発光効率が低下する。色情報を積分演算する際には、色情報を取得した際の発光量を考慮して、演算部１１はＬＥＤ光の色情報Ｋに発光量を考慮した重み付けを行う（ステップＳ１０６）。
【００３９】
ここで、色情報Ｋについては３刺激値（Ｘ，Ｙ，Ｚ）を用いることとするが、色情報は３刺激値に限定されない。いま、ＬＥＤの素子温度によって変化する発光効率係数をηとする。なお、３刺激値はＹが輝度情報であり、輝度情報Ｙに発光効率ηを乗算することによって色情報に発光量を重み付けすることができる。色情報は３刺激値Ｘ、Ｙ、およびＺの各比率によって決定される。
【００４０】
例えば、演算部１１は、次の式（３）によって発光重み付け色情報Ｋφを算出する。
発光重み付け色情報Ｋφ＝Ｋ（Ｘ，Ｙ，Ｚ）×η（ΔＴ）      （３）
【００４１】
続いて、演算部１１は、発光重み付け色情報Ｋφをナンバリングして、Ｋφｎとして記録部１２に記録する。ここで、ｎは自然数であり、色情報を取得する都度、演算部１１はｎをインクリメントして記録部１２に発光重み付け色情報Ｋφｎ＝Ｋ（Ｘｎ，Ｙｎ，Ｚｎ）を記録する（ステップＳ１０７）。
【００４２】
次に、演算部１１は、カメラ２０の発光命令に応じて露光中である否かを判定する（ステップＳ１０８）。カメラ２０が露光中であると（ステップＳ１０８において、ＹＥＳ）、演算部１１はステップＳ１０３の処理に戻って、電圧検出部１３によって順方向電圧Ｖｆを得る。
【００４３】
一方、カメラ２０が露光中でないと、つまり、露光が終了すると（ステップＳ１０８において、ＮＯ）、演算部１１は、露光の際に最後に取得した色情報を（Ｘｒ，Ｙｒ，Ｚｒ）として、最終色情報Ｋｅを算出する（ステップＳ１０９）。そして、演算部１１はＬＥＤ発光処理を終了する。
【００４４】
ステップＳ１０９の処理では、演算部１１は露光中に求めた複数の色情報Ｋφｎを積分して、カメラ２０における画像処理（カラーバランス処理）に用いる最終色情報（色温度情報ともいう）Ｋｅ（Ｘｅ，Ｙｅ，Ｚｅ）を求める。
【００４５】
ここでは、演算部１１は、最終色情報Ｋｅを求める際、３刺激値（Ｘｅ，Ｙｅ，Ｚｅ）に分けて、次の式（４）によって積分を行う。      
【数１】
2015203764.tif 000003
【００４６】
なお、上述の例では、最終色情報Ｋｅを３刺激値で示すようにしたが、色度又は色温度など別の色情報に変換するようにしてもよい。
【００４７】
前述のように、ＬＥＤおいては、順方向電圧Ｖｆおよび色情報ともに個体ばらつき（個体差）が存在し、最終色情報Ｋｅを求める際には、基準となる順方向電圧Ｖｆおよび色情報を基準順方向電圧および基準色情報として予め記録しておく必要がある。
【００４８】
図４は、図１に示すストロボで行われる基準順方向電圧および基準色情報の記録処理（ＬＥＤ記録）を説明するためのフローチャートである。なお、図示のフローチャートに係る処理は、マイコン１の制御下で行われる。
【００４９】
ＬＥＤ記録処理を開始すると、演算部１１は充電回路５を制御して、電源３からキャパシタ４に充電を開始して、所定の電圧まで充電を行う（ステップＳ２００）。次に、カメラ２０から発光命令を受けると、発光電流決定部１４はＬＥＤ６に流す電流値（発光電流）を決定して、電源制御部２を制御してキャパシタ４の電圧を降圧してＬＥＤ６を発光させる（ステップＳ２０１）。
【００５０】
ＬＥＤ６の発光開始と同時に、電圧検出部１３はＬＥＤ６の順方向電圧Ｖｆを、電圧検出用抵抗７によって検出する（ステップＳ２０２）。そして、電圧検出部１３は、検出した順方向電圧Ｖｆを基準順方向電圧Ｖｆｓとする。
【００５１】
基準順方向電圧Ｖｆｓの検出は予め定められた条件下で行われ、つまり、予め定められた条件下でＬＥＤ６を発光させるので、素子温度と基準順方向電圧Ｖｆｓとの関係を把握することができ、順方向電圧Ｖｆが変動したとしても正確に素子温度を求めることができる。
【００５２】
基準順方向電圧Ｖｆｓが得られた後、発光電流決定部１４は電源制御部２を制御して、ＬＥＤ６の発光を終了する（ステップＳ２０３）。
【００５３】
ステップＳ２０１〜Ｓ２０３の処理の間においては、ＬＥＤ６の発光光が分光計３０で受光され、分光計３０は当該発光に応じた色情報を生成する。ここでは、分光計３０の出力である色情報を基準色情報Ｋｓとする（ステップＳ２０４）。
【００５４】
これによって、ＬＥＤ６に固有の色情報が基準色情報ＫＳとして取得される。そして、この基準色情報ｋｓを基準とすれば、素子温度が変動しても正確に最終色情報を求めることができる。
【００５５】
演算部１１はステップＳ２０２およびＳ２０４で取得した基準順方向電圧Ｖｆｓおよび基準色情報Ｋｓを記録部１２に記録して（ステップＳ２０５）、ＬＥＤ記録処理を終了する。
【００５６】
このようにして、本発明の第１の実施形態では、予め定められた条件下で、ＬＥＤに固有の順方向電圧および色情報を基準順方向電圧および基準色情報として予め得て、当該基準順方向電圧および基準色情報に応じて露光中の最終色情報を求める。
【００５７】
これによって、発光中（つまり、露光中）の色情報の変化を含む精度の高い色情報を得ることができて、精度よく画像データのカラーバランスを補正することができる。
【００５８】
［第２の実施形態］
続いて、本発明の第２の実施形態によるストロボの一例について説明する。なお、第２の実施形態に係るストロボの構成は、図１に示すストロボと同様であるので、ここでは説明を省略する。
【００５９】
第２の実施形態によるストロボにおいては、素子温度に応じて変化するＬＥＤ光の色情報を、駆動電流および発光時間などの所定の発光条件を用いて求める。これによって、発光条件が決定されると、発光の終了を待つことなく色情報を得ることができる。この結果、カメラ２０においては、高速にカラーバランス処理などの現像処理を行うことができる。
【００６０】
図５は、本発明の第２の実施形態によるストロボで用いられるＬＥＤの駆動電流および発光時間と素子温度との関係を示す図である。
【００６１】
図５に示す例では、ＬＥＤの発光時間を、１００μｓｅｃ、５０μｓｅｃ、２５μｓｅｃとし、それぞれの駆動電流の変化に応じたＬＥＤの素子温度の変化が示されている。図示のように、発光時間の相違に拘わらず、素子温度は駆動電流の増加とともに、線形的に増加しており、駆動電流が大きくなれば素子温度も高くなる。
【００６２】
このように、ＬＥＤの駆動電流および発光時間と素子温度との関係には規則性があり、ＬＥＤの駆動電流および発光時間が分かれば、素子温度を求めることができる。
【００６３】
なお、ＬＥＤの実装形態によって変化する放熱係数などが素子温度の演算際には必要となる。また、ＬＥＤ素子温度から最終色情報を求める手法は、第１の実施形態と同様である。
【００６４】
図６は、本発明の第２の実施形態によるストロボにおけるＬＥＤ６の色情報検出処理を説明するためのフローチャートである。
【００６５】
なお、図示のフローチャートに係る処理は、マイコン１の制御下で行われる。また、図示のフローチャートにおいて、図２に示すフローチャートと同一のステップについては同一の参照符号を付して説明を省略する。
【００６６】
前述のステップＳ１００の処理が行われた後、カメラ２０から発光条件がマイコン１に送られて、発光電流決定部１４は、発行条件に応じてＬＥＤ駆動電流および発光時間を決定する。そして、発光電流決定部１４は、ＬＥＤ駆動電流および発光時間に応じて電源制御部２を制御してキャパシタ４の電圧を降圧してＬＥＤ６を発光させる（ステップＳ３０１）。
【００６７】
ＬＥＤ６の発光開始と同時に、カメラ２０はステップＳ１０２において露光を開始する。そして、演算部１１は、ステップＳ１０３において露光を開始同時にＬＥＤ６の順方向電圧Ｖｆを電圧検出部１３によって検出する。
【００６８】
演算部１１は、検出した順方向電圧Ｖｆに応じてＬＥＤ６の素子温度Ｔを算出する（ステップＳ３０４）。ここで、順方向電圧ＶｆをＬＥＤ６の素子温度Ｔに変換する変換係数をα１とする。変換係数α１は白色ＬＥＤの構成で決まるので、個体ばらつき（個体差）は少なく、ここでは固定値とする。
【００６９】
例えば、演算部１１はＬＥＤ６の素子温度Ｔを次の式（５）によって算出する。
ＬＥＤ素子温度Ｔ＝Ｖｆ×α１      （５）
【００７０】
図５で説明したように、ＬＥＤ駆動電流および発光時間と素子温度との関係には規則性があるので、演算部１１は、ＬＥＤ駆動電流および発光時間に応じて、単位時間当たりの素子温度の上昇量ΔＴを求める。
【００７１】
上昇量ΔＴを求める際には、ＬＥＤ６の発熱係数および放熱係数が必要である。発熱係数はＬＥＤ６に固有の発光効率および素子温度の変化によって決定される。また、放熱係数はＬＥＤ６の放熱構成および実装などによって決定される。
【００７２】
ここで、ＬＥＤ駆動電流をＩ、発光時間をｓ、発熱係数をｈ、放熱係数をｃとすると、演算部１１は、次の式（６）によって素子温度の上昇量ΔＴを求める（ステップＳ３０５）。
【数２】
2015203764.tif 000004
【００７３】
続いて、演算部１１は、露光中の色情報（最終色情報）Ｋｅを素子温度の上昇量ΔＴに応じて算出する（ステップＳ３０６）。
【００７４】
図７は、本発明の第２の実施形態によるストロボで行われる露光中の色情報の算出を説明するための図である。
【００７５】
図７において、演算部１１が求めるべき色情報Ｋｅは、ＬＥＤ光の発光開始である露光開始から露光終了までの色情報であり、ＬＥＤ６の素子温度は、露光開始から露光終了までの素子温度である。発光中に変化する色情報を時間変化分も含めて求める際には、温度上昇の時間変化を示す時間変化係数が必要となる。
【００７６】
ここで、時間変化係数をγとする。なお、素子温度を色情報に変換する係数を変換係数βは第１の実施形態と同様である。そして、演算部１１は最終色情報Ｋｅを次の式（７）によって求める（ステップＳ３０６）。
【数３】
2015203764.tif 000005
【００７７】
最終色情報Ｋｅが求められると、カメラ２０は露光を終了する（ステップＳ３０７）。その後、演算部１１はＬＥＤ６の発光を終了して（ステップＳ３０８）、ＬＥＤ発光処理を終了する。
【００７８】
なお、ここでは、上述のようにして、演算部１１が最終色情報を求めるようにしたが、演算部１１が素子温度および発光時間と色情報の関係を示す色情報テーブルを備えて、上述のようにして求めた素子温度に応じて、色情報テーブルから色情報を検索するようにしてもよい。
【００７９】
このように、本発明の第２の実施形態では、駆動電流および発光時間などの所定の発光条件を用いて最終色情報を求めるようにしたので、発光の終了を待つことなく最終色情報を得ることができる。これによって、発光中（つまり、露光中）の色情報の変化を含む精度の高い色情報を得ることができて、精度よく画像データのカラーバランスを補正することができる。
【００８０】
上述の説明から明らかなように、図１に示す例においては、演算部１１、電圧検出部１３、および電圧検出用抵抗７が素子温度検出手段として機能する。また、演算部１１、発光電流決定部１４、および電源制御部２は制御手段として機能する。さらに、電圧検出部１３および電圧検出用抵抗７は電圧検出手段として機能し、演算部１１は変化量算出手段として機能する。
【００８１】
さらに、図１に示すカメラ２０には、少なくとも被写体を撮影して画像データを得る撮像手段と、最終色情報に基づいて前記画像データのカラーバランスを補正するカラーバランス処理を行う処理手段と、駆動電流および発光時間をストロボに指令する指令手段とが備えられていることになる。
【００８２】
以上、本発明について実施の形態に基づいて説明したが、本発明は、これらの実施の形態に限定されるものではなく、この発明の要旨を逸脱しない範囲の様々な形態も本発明に含まれる。
【００８３】
また、上記の実施の形態の機能を制御方法として、この制御方法を発光装置に実行させるようにすればよい。また、上述の実施の形態の機能を有するプログラムを制御プログラムとして、当該制御プログラムを発光装置が備えるコンピュータに実行させるようにしてもよい。なお、制御プログラムは、例えば、コンピュータに読み取り可能な記録媒体に記録される。
【００８４】
上記の制御方法および制御プログラムの各々は、少なくとも素子温度検出ステップおよび制御ステップを有している。
【００８５】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００８６】
２  電源制御部
３  電池電源
４  キャパシタ
５  充電回路
６  ＬＥＤ
７  電圧検出用抵抗
１１  演算部
１２  記録部
１３  電圧検出部
１４  発光電流決定部
【図１】
2015203764.tif 000006
【図２】
2015203764.tif 000007
【図３】
2015203764.tif 000008
【図４】
2015203764.tif 000009
【図５】
2015203764.tif 000010
【図６】
2015203764.tif 000011
【図７】
2015203764.tif 000012
【図８】
2015203764.tif 000013